(57)【要約】【課題】雨水の流入を防止するとともに雨水の流入による屋根の損傷を防止できる、太陽光発電パネルの取り付け装置を提供する。【解決手段】本発明の取り付け装置は、複数の屋根瓦および複数のスレート部材２１の少なくとも一方が敷設されている屋根２に設置される太陽光発電パネル９の取り付け装置１であって、複数の屋根瓦および複数のスレート部材２１の一部と置き換えられる支持基体３と、支持基体３を固定する固定部材４と、支持基体３に接続されて、太陽光発電パネル９を支持する支持部材５と、屋根２に流入する雨水を導水する導水手段７と、を備える。【選択図】図２
2012057297.tif 000002
【特許請求の範囲】
【請求項１】
複数の屋根瓦および複数のスレート部材の少なくとも一方が敷設されている屋根に設置される太陽光発電パネルの取り付け装置であって、
前記複数の屋根瓦および前記複数のスレート部材の一部と置き換えられる支持基体と、
前記支持基体を固定する固定部材と、
前記支持基体に接続されて、前記太陽光発電パネルを支持する支持部材と、
前記屋根に流入する雨水を、前記屋根の外部に導水する導水手段と、を備える取り付け装置。
【請求項２】
前記導水手段は、前記支持基体および前記支持部材の少なくとも一方から前記屋根の雨どいに雨水を導水する、請求項１記載の取り付け装置。
【請求項３】
前記導水手段は、前記支持部材が前記支持基体との間で有する通路を備え、前記通路は前記屋根の傾き方向に沿っている、請求項１又は２記載の取り付け装置。
【請求項４】
前記導水手段は、前記固定部材の周囲の陥没領域および前記陥没領域から雨どいに向けた通路と、を備える、請求項１から３のいずれか記載の取り付け装置。
【請求項５】
前記支持部材は、前記屋根の傾斜方向に沿う凹部を有する凹形状であり、前記導水手段は、前記凹部を用いて雨水を導水する、請求項１から４のいずれか記載の取り付け装置。
【請求項６】
前記支持基体は、隣接する屋根瓦もしくは隣接するスレート部材との境界部分に、封止材を備える、請求項１から５のいずれか記載の取り付け装置。
【請求項７】
前記導水手段は、前記支持基体および前記支持部材の少なくとも一方に施された表面処理を含む、請求項１から６のいずれか記載の取り付け装置。
【請求項８】
前記支持基体は、前記複数の屋根瓦もしくは前記複数のスレート部材の傾斜方向において、少なくとも２以上の屋根瓦もしくはスレート部材の間隔を空けて設置される、請求項１から７のいずれか記載の取り付け装置。
【請求項９】
前記支持部材は、前記固定部材によって前記支持基体に接続される、請求項１から８のいずれか記載の取り付け装置。
【請求項１０】
複数の屋根瓦および複数のスレート部材の少なくとも一方が敷設されている屋根に設置される太陽光発電パネルの取り付け方法であって、
前記複数の屋根瓦および前記複数のスレート部材の一部と置き換えられる支持基体を設置し、
前記太陽光発電パネルを支持する支持部材を、前記支持基体に接続し、
前記屋根に流入する雨水を導水する導水手段を確保し、
前記支持部材に前記太陽光発電パネルを取り付ける取り付け方法。
【発明の詳細な説明】
【技術分野】
【０００１】
本発明は、屋根瓦やスレートなどによって形成されている屋根において、屋根瓦やスレートの一部を置き換えることで太陽光発電パネルを取り付ける取り付け装置であって、置き換え部分において雨水が屋根の基材から浸水することを防止できる取り付け装置に関する。
【背景技術】
【０００２】
近年、エネルギー需要の増大、化石燃料の減少、地球温暖化防止などの問題に対処するために、太陽光発電パネルが商業施設や一般住宅に普及し始めている。図１２は、一般的な太陽光発電パネルのブロック図である。
【０００３】
太陽光発電パネル８００は、複数のセル８０３で構成されたユニットであるモジュール８０２、複数のモジュール８０２がアレイ状に配置されたアレイ８０１、直流電流を交流電流に変換するパワーコンディショナ８０４、負荷８０５、発電量測定器８０６を備える。セル８０３は、結晶系シリコン、薄膜系シリコン、化合物などの素材で作られた、太陽光を利用した発電の最少発電単位である。複数のセル８０３が組み合わされて、モジュール８０２が構成される。モジュール８０２は、実際の太陽光発電パネルにおける一つの発電単位であり、複数のモジュール８０２を、仕様に応じて、直列や並列に接続して、商業施設や一般住宅に設置される太陽光発電パネルの発電部であるアレイ８０１が構成される。
【０００４】
モジュール８０２同士は、電流の出力と入力とによって直列または並列に接続され、モジュール８０２にて発電された電流がアレイ８０１全体で組み合わされて、負荷８０５にて利用される。
【０００５】
パワーコンディショナ８０４によって、アレイ８０１からの直流電流を交流に変換し、商業施設や一般住宅で電力として利用できるようにする。パワーコンディショナ８０４が変換した交流電流を受けて、負荷８０５は、電力に基づく動作を行える。なお、必要に応じて、アレイ８０１全体での発電量を計測する発電量計測器８０６がもうけられてもよい。
【０００６】
ところで、太陽光発電パネルは非常に高価であり、商業施設や一般住宅への普及が進んでいない。このため、太陽光発電パネルの商業施設や一般住宅への普及を進めるために、発電して余った余剰電力を、魅力ある価格で売電することが可能となる施策が制定され始めている。
【０００７】
このように、太陽光発電パネルが、各家庭や事業所において設置されることが増え始めており,種々の設置業者が、太陽光発電パネルを家屋や事業所の屋根の上に設置する工事を進めている。
【０００８】
例えば、屋根瓦で屋根が覆われている家屋において太陽光発電パネルを取り付ける技術が提案されている（例えば、特許文献１、特許文献２、特許文献３参照）。
【０００９】
また、特許文献３に提案されるような技術であって、屋根に敷き詰められた複数の屋根瓦の一部に太陽光発電パネルを設置する支持部材を備える商品が提案されてきている。
【先行技術文献】
【特許文献】
【００１０】
【特許文献１】特開平６−１５８７９２公報
【特許文献２】特開平１０−２６６９４３号公報
【特許文献３】特開平９−３２４４９８号公報
【発明の概要】
【発明が解決しようとする課題】
【００１１】
しかしながら、特許文献２は、スレート屋根への支持を分散させる技術を開示するが、スレート屋根への太陽光発電パネルの設置の容易性や強度確保について開示していない。また、スレート屋根は、複数の波形スレート部材を一部ずつ重ねることで、構成される。このため、隣接するスレート部材と重複する部分において取り付け金具を設置することは、作業時間も掛かる上（複数枚のスレート部材を貫通させる作業を必要とするので）、作業における危険性も増加させる。当然ながら、スレート部材と重複する部分は、既にスレート部材同士を接続する取付金具が装着されていることが多く、新たに取付金具を取り付けるのは難しい。
また、特許文献２における技術は、スレート屋根に支持部材を取り付けて太陽光発電パネルを設置するが、スレート屋根に取り付けられた支持部材を介して、雨水が屋根の基材に流入する可能性が高い。このように屋根の基材に流入する雨水は、そのまま基材から室内に雨漏りとして浸水してくる問題を生じさせる。
【００１２】
また、特許文献３は、屋根瓦の一部を、支持部材を備える支持瓦としている。この支持瓦が、太陽光発電パネルを設置して支える。
しかしながら、支持瓦は、複数の屋根瓦の一部が置き換えられたものであり、太陽光発電パネルを取り付ける部材が凹形状となっていることも合わせて、雨水が屋根の基材に流入しやすい。このように流入すると、雨漏りの原因となったり、場合によっては、屋根の基材の損傷を生じさせることにもなったり、長期間で設備投資を回収する必要のある太陽光発電パネルにおいては、設置後に屋根の損傷などが発生することは好ましくない。
以上のように、従来技術における、屋根に敷設された複数の屋根瓦やスレートの一部を取り替えて太陽光発電パネルを設置する取り付け装置は、雨水の流入や雨水の流入による屋根の損傷などに対応できない問題を有していた。
【００１３】
本発明は、上記課題を解決し、雨水の流入を防止するとともに雨水の流入による屋根の損傷を防止できる、太陽光発電パネルの取り付け装置、太陽光発電パネルの取り付け方法、太陽光発電パネルを提供することを目的とする。
【課題を解決するための手段】
【００１４】
上記課題に鑑み、本発明の太陽光発電パネルの取り付け装置は、複数の屋根瓦および複数のスレート部材の少なくとも一方が敷設されている屋根に設置される太陽光発電パネルの取り付け装置であって、複数の屋根瓦および複数のスレート部材の一部と置き換えられる支持基体と、支持基体を固定する固定部材と、支持基体に接続されて、太陽光発電パネルを支持する支持部材と、屋根に流入する雨水を導水する導水手段と、を備える。
【発明の効果】
【００１５】
本発明の取り付け装置は、屋根瓦の一部を置き換えることで、太陽光発電パネルを容易に屋根の上に設置できる。しかも、屋根瓦の一部が置き換えられた領域においても、雨水が屋根の基材に流入しにくい。この結果、雨漏りや屋根の損傷が防止される。
また、雨水の流入が防止されることで、取り付け装置の固定強度も高まり、太陽光発電パネルの設置強度や耐久性も高まる。耐久性が高いことによって、太陽光発電パネルの設置後のランニングコストも低減する。この結果、太陽光発電パネルの発電による減価償却が容易となる。
【図面の簡単な説明】
【００１６】
【図１】本発明の実施の形態１における太陽光発電パネルを設置した屋根の斜視図である。
【図２】本発明の実施の形態１における取り付け装置の側面図である。
【図３】本発明の実施の形態１における太陽光発電パネルを取り付けた屋根の斜視図である。
【図４】本発明の実施の形態１における支持基体が取り付けられた屋根の正面図である。
【図５】本発明の実施の形態１における屋根に取り付けられた太陽光発電パネルの側面図である。
【図６】本発明の実施の形態１における屋根に取り付けられた取り付け装置の斜視図である。
【図７】本発明の実施の形態１における導水手段の一例を示す模式図である。
【図８】本発明の実施の形態１における取り付け装置の斜視図である。
【図９】本発明の実施の形態１における支持基体が設置された状態を示す斜視図である。
【図１０】本発明の実施の形態１における取り付け装置の斜視図である。
【図１１】本発明の実施の形態２における太陽光発電パネルが設置された屋根の側面図である。
【図１２】一般的な太陽光発電パネルのブロック図である。
【発明を実施するための形態】
【００１７】
本発明の第１の発明に係る取り付け装置は、複数の屋根瓦および複数のスレート部材の少なくとも一方が敷設されている屋根に設置される太陽光発電パネルの取り付け装置であって、複数の屋根瓦および複数のスレート部材の一部と置き換えられる支持基体と、支持基体を固定する固定部材と、支持基体に接続されて、太陽光発電パネルを支持する支持部材と、屋根に流入する雨水を導水する導水手段と、を備える。
【００１８】
この構成により、取り付け装置は、太陽光発電パネルを確実に設置できるとともに、屋根に流入する雨水を、屋根の内部に浸透させにくくできる。
【００１９】
本発明の第２の発明に係る取り付け装置では、第１の発明に加えて、導水手段は、支持基体および支持部材の少なくとも一方から屋根の雨どいに雨水を導水する。
【００２０】
この構成により、取り付け装置は、屋根に流入する雨水を屋根の外部に排出できる。特に、取り付け装置は屋根瓦やスレート部材の一部を置き換えることで設置されるが、このような場合でも取り付け装置は、置き換え部分から屋根の内部に流入する雨水を、外部に排出できる。
【００２１】
本発明の第３の発明に係る取り付け装置では、第１又は第２の発明に加えて、導水手段は、支持部材が支持基体との間で有する通路を備え、通路は屋根の傾き方向に沿っている。
【００２２】
この構成により、導水手段は、屋根の傾き方向に合わせて屋根に流入する雨水を排出できる。また、導水手段は、屋根の傾きを利用して、雨水を排出できる。
【００２３】
本発明の第４の発明に係る取り付け装置では、第１から第３のいずれかの発明に加えて、導水手段は、固定部材の周囲の陥没領域および陥没領域から雨どいに向けた通路と、を備える。
【００２４】
この構成により、導水手段は、置き換えられたスレート部材や屋根瓦に雨水を集めつつ集めた雨水を屋根の外に排出できる。
【００２５】
本発明の第５の発明に係る取り付け装置では、第１から第４のいずれかの発明に加えて、支持部材は、屋根の傾斜方向に沿う凹部を有する凹形状であり、導水手段は、凹部を用いて雨水を導水する。
【００２６】
この構成により、導水手段は、簡便な機構および構造で、屋根に流入する雨水を排出できる。
【００２７】
本発明の第６の発明に係る取り付け装置では、第１から第５のいずれかの発明に加えて、支持基体は、隣接する屋根瓦もしくは隣接するスレート部材との境界部分に、封止材を備える。
【００２８】
この構成により、スレート部材や屋根瓦と置き換えられた支持基体は、隣接するスレート部材や屋根瓦との境界部分からの雨水の屋根内部への流入を防止できる。
【００２９】
本発明の第７の発明に係る取り付け装置では、第１から第６のいずれかの発明に加えて、導水手段は、支持基体および支持部材の少なくとも一方に施された表面処理を含む。
【００３０】
この構成により、導水手段は、この表面処理によって、容易に雨水を排出できる。
【００３１】
本発明の第８の発明に係る取り付け装置では、第１から第７のいずれかの発明に加えて、支持基体は、複数の屋根瓦もしくは複数のスレート部材の傾斜方向において、少なくとも２以上の屋根瓦もしくはスレート部材の間隔を空けて設置される。
【００３２】
この構成により、取り付け装置の設置強度が向上する。加えて、支持基体同士が隣り合うことがなくなるので、支持基体同士の境界から生じうる雨水の屋根内部への漏れも防止できる。
【００３３】
本発明の第９の発明に係る取り付け装置では、第１から第８のいずれかの発明に加えて、支持部材は、固定部材によって支持基体に接続される。
【００３４】
この構成により、支持部材と支持基体との接続強度が向上し、取り付け装置の設置強度（および取り付け装置によって取り付けられる太陽光発電パネルの設置強度）が向上する。
【００３５】
以下、図面を参照しながら、本発明の実施の形態を説明する。
【００３６】
（実施の形態１）
【００３７】
（取り付け状態）
【００３８】
まず、実施の形態１について説明する。図１を用いて、屋根の上に太陽光発電パネルが取り付けられている状態を説明する。図１は、本発明の実施の形態１における太陽光発電パネルを設置した屋根の斜視図である。
【００３９】
太陽光発電パネルは、家屋や事業所の屋根の上に設置される。このとき、家屋や事業所の屋根２は、図１のように波形形状を有するスレート屋根であったり、平板形状のスレート屋根であったり、瓦屋根であったりする。家屋や事業所の屋根は、屋根の基材の上にスレート部材や屋根瓦を敷設していることが多い。図１は、波形形状を有するスレート部材が敷設されている屋根を示している。
【００４０】
太陽光発電パネル９は、このスレート屋根の上に設置される。スレート屋根の上に太陽光発電パネル９が設置されることで、太陽光発電パネル９は日光を受けて発電を行なう。日本における建築物の多くは、図１のようなスレート部材や屋根瓦が敷設された屋根である。このため、太陽光発電パネル９を設置するには、このようなスレート部材や屋根瓦の上に設置することが求められる。
【００４１】
ここで、家屋や事業所の屋根は、屋根瓦やスレート部材で覆われていることが多い。実際には、家屋の内部を封止する基材とこの基材の上に屋根瓦やスレート部材が敷設される。従来においては、太陽光発電パネル９は、この屋根瓦やスレート部材にそのまま取り付けられることが多い。しかしながら、屋根を形成する際に最初から敷設されている屋根瓦やスレート部材に太陽光発電パネル９を設置することは、耐久性の点で問題がある。屋根瓦やスレート部材は、屋根の基材に設置されることのみを目的とされているので、その上に太陽光発電パネル９のような重量物を設置することを想定していないからである。
【００４２】
このため、屋根２の基材の上に敷設されている屋根瓦やスレート部材の一部を取り除いて太陽光発電パネル９を設置することが求められる。
【００４３】
（取り付け装置１の概要）
【００４４】
図２は、本発明の実施の形態１における取り付け装置の側面図である。図２は、２つの取り付け装置が、太陽光発電パネル９を設置している状態を示している。取り付け装置１は、複数の屋根瓦および複数のスレート部材の少なくとも一方が敷設されている屋根２に設置される。図２は、平板形状の複数のスレート部材２１が敷設されている状態を示している。屋根２は、建物の上部を封止する基材１０によって覆われており、この基材１０の表面には、複数のスレート部材２１が敷設されている。
【００４５】
取り付け装置１は、複数の屋根瓦および複数のスレート部材２１の一部と置き換えられる支持基体３と、支持基体３を固定する固定部材４と、支持部材５と、を備える。
【００４６】
支持部材５は、支持基体３に接続された上で、太陽光発電パネル９を支持する。この支持部材５の上に太陽光発電パネル９が設置される。図２では、支持部材５は、更に太陽光発電パネル９を固定する固定具６を更に備えており、太陽光発電パネル９は、この固定具６によって支持部材５に固定される。この固定によって、太陽光発電パネル９が建物の屋根２の上に設置される。
【００４７】
ここで支持基体３は、複数の屋根瓦や複数のスレート部材２１の一部と置き換えられる。このため、支持基体３は、本来の屋根瓦やスレート部材２１同士との間での微小な隙間を生じさせる可能性がある。また、固定部材４は、支持基体３を貫通して基材１０に取り付けられているので、支持基体３の表面と屋根２の基材１０との間に連通する連通路が生じる可能性もある。
【００４８】
屋根２には雨水が降り注ぐ。これらの雨水は、太陽光発電パネル９に当たるとともに屋根瓦やスレート部材２１に当たる。これら屋根瓦やスレート部材２１に当たった雨水は、屋根２に流入することになる。この屋根２に流入した雨水は、取り付け装置１の部材同士の接続部分などから屋根２の基材１０に浸水する可能性を有する。このように基材１０に浸水すると、基材１０から室内に水が漏れる可能性を生じさせる。すなわち、雨漏りが生じうる。
【００４９】
このような屋根２に流入する雨水を基材１０に浸水させないように導水する導水手段７を、取り付け装置１は、更に備える。図２においては、導水手段７は、支持部材５に設けられる。導水手段７は、屋根２の表面に降りかかる雨水であって、屋根２に流入する（特に、取り付け装置１の周囲や支持部材５や支持基体３に流入する）雨水を基材１０に浸水しないように所定方向に導く。所定方向に導くことで、導水手段７は、屋根２に流入する雨水を基材１０に浸水させないようにできる。
【００５０】
図２では、導水手段７は、支持部材５の上における溝として示されている。屋根２に流入する雨水は、この溝に沿って屋根２の上側から下側に流れるようになるので、屋根２に流入する雨水は、取り付け装置１の周囲に留まりにくくなって屋根２の基材１０に浸水しにくくなる。
【００５１】
また、図２では、導水手段７は支持部材５の上に形成されているが、支持基体３に形成されても良い。支持基体３に形成されることで、他の屋根瓦やスレート部材２１から支持基体３に伝わってくる雨水が支持基体３の周辺に滞留することなく流れ落ちるようになるからである。雨水が基材１０に浸水して雨漏りの原因となるのは、取り付け装置１の周囲（特に支持基体３の周囲）に雨水が滞留することである。導水手段７は、雨水を取り付け装置１の周囲（特に支持基体３の周囲）から他の場所へ導くことで、雨水が取り付け装置１や支持基体３を介して基材１０に浸水することが無くなる。
【００５２】
実施の形態１における取り付け装置１は、このように複数の屋根瓦および複数のスレート部材の少なくとも一部を置き換えることで、取り付け強度と取り付け耐久性を高めるとともに、置き換えによって生じうる浸水を防止できる。
【００５３】
図３は、本発明の実施の形態１における太陽光発電パネルを取り付けた屋根の斜視図である。図３は、スレート部材２１が敷設された屋根の上に、太陽光発電パネルが設置されている状態を示している。屋根２の表面には、複数のスレート部材２１が敷設されている。複数のスレート部材２１のそれぞれは、お互いの一部ずつが重複するように敷設されている。取り付け装置１は、この複数のスレート部材２１の一部が置き換えられる支持基体３を基本として、図２を用いて説明した要素を備えている。
【００５４】
取り付け装置１は、スレート部材２１の一部と置き換えられた支持基体３によって、太陽光発電パネル９を設置する。このとき、取り付け装置１は、導水手段７を備えているので、スレート部材２１の一部と置き換えられた支持基体３の周辺に滞留する雨水を、例えば雨どいなどの屋根の外部に導く。この結果、支持基体３の周辺から雨水が取り除かれて、屋根２の基材１０への浸水が防止される。
【００５５】
次に、各部の詳細について説明する。
【００５６】
（屋根）
【００５７】
屋根２は、家屋や事業所などの建造物の上部に設けられ、外界と室内とを遮断する。屋根２は、コンクリートなどで形成される基材１０の上に、種々の部材が敷設されて構成される。屋根２には、種々の種類があるが、我が国において多いのは、複数の屋根瓦、複数の平板形状のスレート部材、複数の波形のスレート部材など、複数の部材の組み合わせによって敷設される屋根が多い。
【００５８】
屋根２の上に敷設されている複数の屋根瓦、複数のスレート部材の一部が取り除かれることで、取り付け装置１を用いて、太陽光発電パネル９が設置される。屋根２の上に太陽光発電パネル９が設置されることで、太陽光発電パネル９は、日光を受けて発電を行なう。
【００５９】
（支持基体）
【００６０】
支持基体３は、屋根２の上に敷設された複数の屋根瓦２２や複数のスレート部材２１の一部と置き換えられる部材である。屋根瓦２２やスレート部材２１は、屋根２の基材１０の上に敷設されている。より具体的には、複数の屋根瓦２２や複数のスレート部材２１が、組み合わされたり、一部ずつが重複したりすることで、敷き詰められる。支持基体３は、このように敷き詰められている部材の一部と置き換えられる。
【００６１】
図４は、本発明の実施の形態１における支持基体が取り付けられた屋根の正面図である。図４では、屋根２の上に複数の屋根瓦２２が敷き詰められている。複数の屋根瓦２２は、屋根２の基材１０の上に敷き詰められている。図４においては、説明の便宜のため、一つの屋根瓦２２にのみ符号を付している。
【００６２】
図４では、屋根２に敷設されている複数の屋根瓦２２の内、４箇所の屋根瓦２２が、支持基体３に置き換えられている。支持基体３が、方形を形成する４つの頂点に配置されることで、太陽光発電パネル９の設置が容易となる。もちろん、太陽光発電パネル９の大きさや形状に合わせて、４箇所以上の位置に支持基体３が配置されても良い。
【００６３】
支持基体３は、屋根瓦２２やスレート部材２１と置き換えられるので、屋根瓦２２やスレート部材２１と同じ形状や大きさを有していることも好適である。図２、図４に示されるように、支持基体３は、屋根瓦２２やスレート部材２１と同じ形状と大きさを有していることで、取り外された屋根瓦２２やスレート部材２１の場所にはめ込むことが可能である。なお、支持基体３の厚みは、屋根瓦２２やスレート部材２１よりも厚くてもよい。支持基体３が、周囲の屋根瓦２２やスレート部材２１に比較して高さの面で突出することで、太陽光発電パネル９の設置が容易となるからである。
【００６４】
支持基体３は、金属、樹脂、合金、陶器などの素材で形成されれば良いが、強度や耐久性を考慮して、金属、合金などの素材が好適に用いられる。また、屋根瓦２２やスレート部材２１との見え方の差分を生じさせないために、屋根瓦２２やスレート部材２１と同質の素材が、支持基体３に用いられても良い。あるいは、支持基体３の素材は屋根瓦２２やスレート部材２１とは異なるが、支持基体３の表面処理（表面の色味、光沢、素材感）が、屋根瓦２２やスレート部材２１と同一になるように施されてもよい。
【００６５】
支持基体３の外観が、周辺の屋根瓦２２やスレート部材２１との外観と差が少ないことで、家屋や事業所のデザイン性や見映えを損なうことなく、太陽光発電パネル９が設置できる。
【００６６】
また、支持基体３は、固定部材４によって屋根２の基材１０に固定されるので、固定部材４を取り付けるための貫通孔を備えていることも好適である。例えば、固定部材４がねじや釘などである場合には、支持基体３は、ねじ孔や釘孔を備えている。
【００６７】
なお、屋根２の表面に敷設されている屋根瓦２２やスレート部材２１は、波形や湾曲を有していることが多いが、支持基体３の表面は平板で構わない。支持基体３の表面が、波形や湾曲を有していないことで、太陽光発電パネル９を設置しやすくなるからである。
【００６８】
作業者は、屋根２に敷設されている屋根瓦２２やスレート部材２１の一部を取り除く。図４においては、４箇所の屋根瓦２２やスレート部材２１が取り除かれている。取り除かれた場所においては、屋根２の基材１０が露出することになる。作業者は、屋根瓦２２やスレート部材２１の一部を取り除いた後で、取り除いた場所に支持基体３を取り付ける。取り付けられた支持基体３は、固定部材４によって、基材１０に固定される。支持基体３は、露出した基材１０を覆う役割も担う。
【００６９】
（固定部材）
【００７０】
固定部材４は、支持基体３を基材１０に固定する。屋根瓦２２やスレート部材２１の一部が取り除かれて基材１０が露出する。この露出した基材１０に固定部材４が固定されることで、支持基体３が他の屋根瓦２２やスレート部材２１と同様に、屋根２の上に固定される。また、一般的には、屋根瓦２２やスレート部材２１は、基材１０に対して簡単な固定しかなされていないことが多いが、固定部材４によって支持基体３は高い強度で固定される。
【００７１】
固定部材４は、支持基体３を固定するが、後述の支持部材５と支持基体３とを接続する役割を担ってもよい。すなわち、固定部材４は、支持基体３を貫通して支持基体３を基材１０に固定しつつ支持基体３と支持部材５とを接続するように固定しても良い。
【００７２】
固定部材４は、このように支持基体３を固定するために、ねじ、釘、ナット・ボルトなどを有し、これらの部品によって支持基体３を固定したり、支持部材５を接続したりする。
【００７３】
また、固定部材４は、支持基体３に予め取り付けられていてもよい。固定部材４が支持基体３に予め取り付けられていることで、作業者は簡単な作業によって、支持基体３を基材１０に固定することができる。
【００７４】
図５は、本発明の実施の形態１における屋根に取り付けられた太陽光発電パネルの側面図である。図５は、屋根瓦２２の一部が支持基体３に置き換えられた上で、支持基体３が固定されている。固定された支持基体３には、支持部材５が接続されていて、支持部材５が太陽光発電パネル９を載せている。この結果、屋根２の上に太陽光発電パネル９が設置される。
【００７５】
このとき、固定部材４は、支持基体３を基材１０に固定しつつ支持基体３と支持部材５とを接続している。このように、固定部材４によって、太陽光発電パネル９の設置強度が向上する。
【００７６】
（支持部材）
【００７７】
支持部材５は、支持基体３に取り付けられて、実際に太陽光発電パネル９を設置する部材である。
【００７８】
図２や図５の側面図で示されるように、支持部材５は、支持基体３の上に取り付けられる。上述の通り、固定部材４によって支持部材５が支持基体３と接続される。
【００７９】
支持部材５が取り付けられることで、太陽光発電パネル９を設置する構成が実現される。支持部材５が存在すると、太陽光発電パネル９を、屋根２一定の距離を置いて設置できるようになるからである。太陽光発電パネル９が、屋根２と一定の距離を置いて設置できることで、太陽光発電パネル９の裏面を雨水が流れて、汚れがたまらないなどのメリットが生じる。
【００８０】
もちろん、支持基体３の表面に直接太陽光発電パネル９が設置されても良い。この場合でも、支持基体３が屋根瓦２２やスレート部材２１との間において所定の距離を設けることが好適である。太陽光発電パネル９の裏面を雨水が流れて、汚れが溜まりにくいメリットが生じるからである。
【００８１】
支持部材５は、支持基体３と同様に、金属、樹脂、合金、陶器などの種々の素材を有すればよい。特に、支持基体３と同じ素材であることで、製造コストが低減し、取り扱いも容易となる。但し、設置強度や耐久性を考慮して、支持部材５は、金属や合金で形成されることが適当である。
【００８２】
また、支持部材５は、支持基体３と同様の形状や大きさを有していてもよいし、支持基体３とは異なる形状や大きさを有していてもよい。例えば、支持基体３は複数であるが、この複数の支持基体３に一つの支持部材５が取り付けられる構成でも良い。例えば、図６に示されるような構成である。
【００８３】
図６は、本発明の実施の形態１における屋根に取り付けられた取り付け装置の斜視図である。図６では、フレーム構造を有する取り付け装置１が、屋根２の上に設置されている。図６では、屋根２には、スレート部材２１が敷設されている。スレート部材２１の一部が取り除かれて、取り除かれた場所に支持基体３Ａ、３Ｂが取り付けられている。支持基体３Ａ、３Ｂは、上述の通り、固定部材４によって基材１０に固定される。
【００８４】
支持部材５は、フレーム構造を形成する。ここで、図６に示されるように、一つの支持部材５は、２つの支持基体３Ａ，３Ｂの上に取り付けられている。このように複数の支持基体３に一つの支持部材５が取り付けられることで、支持部材５の固定強度が増加することに加え、フレーム構造を形成するような大きなサイズの支持部材５を設置できるようになる。
【００８５】
図６に示されるように、一つの支持部材５が、複数の支持基体３に取り付けられることで、より強固でバリエーションに富んだ取り付け装置１が実現できる。
【００８６】
なお、支持基体３と支持部材５との役割の明確化のために、それぞれ異なる要素として説明しているが、実際には支持基体３と支持部材５とが同一の部材や同一の要素として把握される状態でもよいし、全体として一体化していても良い。要は、必ずしも別部材として把握されなければならないわけではなく、別部材として把握されても同一部材として把握されても良い。
【００８７】
（導水手段）
【００８８】
取り付け装置１は、屋根２、支持基体３、支持部材５などに流入する雨水を、所定方向に導水する導水手段７を備える。取り付け装置１は、支持基体３や固定部材４（および固定部材４によって生じる孔）などに溜まる雨水を除去することを必要とするからである。
【００８９】
導水手段７は、様々な構造、形状、部材、素材などによって実現される。これらの要素を用いて、導水手段７は、屋根２であって、特に取り付け装置１の周辺に流入する雨水を、所定方向に導水する。
【００９０】
（雨どいへの導水）
【００９１】
導水手段は、取り付け装置１の周辺（屋根２、支持基体３、支持部材５、固定部材４の周辺など）に流入する雨水を、この周辺から別の場所に移動させることを要する。取り付け装置１の周辺に雨水が溜まると、支持基体３と隣接する屋根瓦２２（スレート部材２１）との合わせ目や固定部材４に用いられる貫通孔などから、雨水が基材１０に浸水する可能性があるからである。
【００９２】
屋根２は、その外縁に雨どいを備えていることが多い。雨どいは、屋根２に降り注いだ雨水が到達して、地面等に雨水を導いて排水する。導水手段７は、支持基体３および支持部材５の少なくとも一方から、雨水を雨どいに導水する。このように導水された雨水は、雨どいを介して地面等に排水される。
【００９３】
もちろん、雨どい以外に、屋根２の外に雨水が導水されれば良い。
【００９４】
（通路）
【００９５】
導水手段７は、雨水を所定方向（例えば、雨どいに向けて）に導水するための通路を備えることも好適である。例えば、導水手段７は、雨水が流入する支持基体３および支持部材５の少なくとも一方に、導水路となる通路を備える。
【００９６】
図７は、本発明の実施の形態１における導水手段の一例を示す模式図である。図７は、支持基体３および支持部材５の少なくとも一方が、導水路となる通路等を備えている状態を示している。導水手段７は、固定部材４周囲の陥没領域７１と、陥没領域７１から所定方向に延伸する（好適には、雨どいに向けて延伸する）通路７２とを備える。
【００９７】
固定部材４は、ねじや釘などが支持基体３に穿たれた貫通孔に挿入されることで、支持基体３を固定する。このような貫通孔の周囲は、雨水が浸入する可能性がある。このため、固定部材４の周囲をあえて陥没させる陥没領域７１が設けられることで、固定部材４の周辺に流入してくる雨水を、この陥没領域７１に導く。陥没領域７１には、通路７２が接続している。このため、陥没領域７１に導かれた雨水は、すぐさま通路７２を通じて、雨どいなど所定の方向に流れ出す。
【００９８】
陥没領域７１と通路７２とが連通していることで、支持基体３や支持部材５に流入する雨水を陥没領域７１が確実に受け取り、受け取った雨水を通路７２が排出することが連続的にできる。この結果、導水手段７は、支持基体３や支持部材５に流入する雨水を、効率的に外部に排出できる。
【００９９】
もちろん、陥没領域７１はなく、導水手段７は、通路７２だけを備えていても良い。例えば、支持基体３や支持部材５の表面に複数の溝が設けられ、この溝が雨どいなどに向けた所定方向に沿って雨水を排出することでも良い。溝は、Ｖ字やＵ字形状を有していればよく、通路７２などと同様に親水処理が施されていることも好適である。親水処理によって、雨水が流れやすくなるからである。
【０１００】
（支持部材の形状）
導水手段７は、支持部材５の形状によって、雨水を排出する機能を実現しても良い。
【０１０１】
屋根２に降り注ぐ雨水は、取り付け装置１の設置と関係のない屋根瓦２２やスレート部材２１においては、浸水することはほとんど無い。もしあるとすると、家屋や事業所の建築そのものの問題に依存する。一方で、取り付け装置１は、屋根瓦２２やスレート部材２１の一部を置き換えることで設置されるので、建築に関係なく雨水の浸水を生じさせる可能性を有する。
【０１０２】
支持基体３の上に支持部材５が取り付けられて、この支持部材５の上に太陽光発電パネル９が設置される。このため、支持基体３と支持部材５とが、雨水を溜め込まないようにすることが求められる。
【０１０３】
このため、導水手段７は、支持基体３と支持部材５との間に形成される通路を有する。加えて、この通路は、屋根２の傾き方向に沿っている（傾き方向に沿っているとは、屋根２の傾斜角度と通路の傾斜角度が一致しなければならないわけではない。通路の傾斜角度が屋根２の傾斜角度と一致していても良く、一致していなくてもよい）。支持基体３の上に支持部材５とは、重なって配置されるので、支持基体３と支持部材５との間に雨水が溜まりやすい。しかも溜まった雨水は、行き場を失って屋根２の基材１０に浸水する可能性がある。一方、屋根２は、傾斜を有することが多く、この傾斜方向に雨水を排出できれば、支持基体３や支持部材５の周辺に溜まりやすい雨水を効率的に排出できる。
【０１０４】
図８は、本発明の実施の形態１における取り付け装置の斜視図である。図８では、屋根２の上に取り付け装置１が取り付けられている状態を示している。スレート部材２１の一部が支持基体３に置き換えられている。支持基体３の上に支持部材５が取り付けられ、支持部材５は、更にフレーム枠５１を備えており、このフレーム枠５１の上に、太陽光発電パネル９が設置される。
【０１０５】
支持部材５は、支持基体３の上に取り付けられるので、支持基体３および支持部材５の周辺には、雨水が溜まりやすい。ここで、支持部材５の形状に基づいて、支持基体３と支持部材５との間に、通路７４が設けられる。通路７４は、支持基体３や支持部材５の周囲に溜まりやすい雨水を排出できる。
【０１０６】
ここで、通路７４は、矢印Ａの方向に沿っている。矢印Ａは、屋根２の傾斜方向に沿っており、通路７４は、屋根２の傾斜方向に沿っていることおよび屋根２の傾斜とがあいまって、矢印Ａの方向に雨水を排出できる。矢印Ａの方向に雨水を排出できれば、屋根２に降り注いで支持基体３や支持部材５の周囲に溜まりやすい雨水が、効率的に排出される。支持基体３や支持部材５の周囲に溜まりやすい雨水が効率的に排出されることで、屋根瓦２２やスレート部材２１の一部が置き換えられることによって生じうる、水漏れなどが防止できる。
【０１０７】
図８では、通路７４は、支持部材５が屈曲した形状を有することで実現されている。このような形状以外でも、例えば支持部材５が通路７４となる孔を有していたり、支持基体３と支持部材５との間に隙間が設けられたりして、通路７４が実現される。
【０１０８】
あるいは、通路７４は、支持基体３が支持部材５と接続される部位において支持基体３が切削されて矢印Ａに沿った方向に形成される溝を備えても良い。このような溝によって、通路７４は、屋根２の傾斜方向に沿って（通路７４の傾斜角度は、屋根２の傾斜角度と一致しても不一致であってもよい）、溜まりやすい雨水を排出できるようになる。
【０１０９】
また、支持部材５が、屋根２の傾斜方向に沿った凹部を有する凹形状であることで、導水手段７の機能が実現されても良い。
【０１１０】
図８では、支持部材５は、凹部７５を有している。凹部７５は、屋根２に対向する方向に向かって凹んでいる。この凹部７５は、矢印Ａの方向に沿っている。すなわち、凹部７５は、屋根２の傾斜方向に沿っている。このように凹部７５が屋根２の傾斜方向に沿っていることで、凹部７５が通路７４の役割を果たして、屋根２に流入する雨水を排出できる。
【０１１１】
また、図８では、凹部７５が屋根２に対向する方向に凹んでいるが、逆向きに凹んでいても良い。すなわち、凹部７５が屋根２に接するように設けられることでもよい。
【０１１２】
以上のように、支持部材５の形状や構造によって形成される通路が、支持基体３や支持部材５の周囲に溜まりやすい雨水を排出できる。これらの雨水が排出されることにより、支持基体３の周囲から生じうる水漏れが防止できる。
【０１１３】
（支持基体の設置上の工夫）
【０１１４】
上述のように、支持基体３は、複数の屋根瓦２２や複数のスレート部材２１の一部と置き換えられることで設置される。屋根瓦２２やスレート部材２１のそれぞれは、相互に組み合わされて設置されることを想定して製造されている。このため、建築での不具合が無ければ、隣接する屋根瓦２２同士の境界や隣接するスレート部材２１同士の境界において、浸水が生じることはほとんど無い。
【０１１５】
これに対して、別部材である支持基体３を屋根瓦２２やスレート部材２１の一部と置き換えることで、支持基体３とこれと隣接する屋根瓦２２などとの境界から浸水が生じる可能性がある。
【０１１６】
このため、支持基体３は、隣接する屋根瓦２２もしくは隣接するスレート部材２１との接触部分（境界部分）に封止材を備えることも好適である。封止材を備えることで、支持基体３とこれに隣接する屋根瓦２２等との境界からの浸水が防止できるからである。
【０１１７】
封止材は、一般に用いられたり知られたりしている素材であればよい。例えば、ポリエチレンやポリウレタンなどの防水性の高い素材であればよい。封止材は、支持基体３が設置された後で、支持基体３とこれに隣接する屋根瓦２２等との境界に充填されればよい。あるいは、支持基体３が予めその外周に封止材を備えておき、支持基体３が嵌め込まれる際に、隣接する屋根瓦２２等との境界が封止材で充填されることでも良い。
【０１１８】
例えば、支持基体３の外周に封止材が接着されていたり、支持基体３の外周にスリットが設けられ、このスリットに封止材が埋め込まれていたりすることで（埋め込まれた上で、封止材が外周に突出している）、支持基体３がはめ込まれるだけで、隣接する屋根瓦２２との境界が充填される。
【０１１９】
封止材が充填されることで、支持基体３とこれと隣接する屋根瓦２２等との境界からの浸水が防止される。
【０１２０】
また、支持基体３は、固定部材４によって屋根２の基材１０に固定されるので、この固定部材４の周辺が封止材で充填されることも好適である。
【０１２１】
以上のように、支持基体３での置き換えによる浸水が防止できる。
【０１２２】
（支持基体や支持部材の表面処理）
支持基体３や支持部材５は、表面処理を施されることによって、流入する雨水を排出できる。すなわち、導水手段７は、支持基体３や支持部材５に施された表面処理である。表面処理によって、支持基体３や支持部材５の表面が親水性を有することができるようになる。親水性を有することで、流入する雨水が支持基体３や支持部材５の表面を移動しやすくなる。あるいは、表面処理によって撥水性が生じて、雨水の排出が容易となることもよい。
【０１２３】
あるいは、表面処理によって、支持基体３や支持部材５の表面は、撥水性を有するようになる。撥水性を有することで、流入する雨水は、支持基体３や支持部材５の表面から弾かれるように流れ出る。更には、表面処理によって、支持基体３や支持部材５の表面に細かな多数の溝が形成される。このような多数の溝は、流入する雨水を排出できる。大きな溝の場合には、ある程度の水量に対応するのは容易であるが、水量が少ない場合には、細かな多数の溝のほうが、雨水を排出するのが容易となる。
【０１２４】
ここで、表面処理は、様々な手段で施されれば良い。例えば、化学的に表面処理が施されたり、コーティングが施されたり、電解めっきや非電解めっきが施されたりすることでもよい。
【０１２５】
このように、支持基体３や支持部材５が表面処理を施されていることで、支持基体３や支持部材５に流入する雨水が、排出されやすくなる。排出されることで、雨水が浸水することが防止できる。
【０１２６】
（設置作業）
次に、実際の取り付け装置１の設置および取り付け装置１による太陽光発電パネル９の設置作業について説明する。
【０１２７】
作業者は、まず屋根２に敷設されている複数の屋根瓦２２および複数のスレート部材２１の少なくとも一部から、置き換える位置を決定する。例えば、太陽光発電パネル９のサイズが小さい場合には、太陽光発電パネル９の四隅に対応する４箇所の屋根瓦２２もしくはスレート部材２１が置き換えられれば良い。あるいは、太陽光発電パネル９のサイズが大きい場合には、太陽光発電パネル９の四隅に加えて、太陽光発電パネル９の中央部やそれ以外の位置に対応する屋根瓦２２もしくはスレート部材２１が置き換えられればよい。
【０１２８】
作業者は、置き換え位置を決定すると、置き換え位置に対応する屋根瓦２２もしくはスレート部材２１を取り外す。
【０１２９】
ついで、作業者は、屋根瓦２２やスレート部材２１が取り外された場所に、支持基体３を取り付ける。支持基体３を取り付けると、作業者は支持基体３を固定部材４によって屋根２の基材１０に固定する。このとき、固定部材４は、予め支持基体３に取り付けられた状態であっても良いし、別部材として後から取り付けられても良い。
【０１３０】
支持基体３が固定部材４によって固定されると、図９に示されるように、太陽光発電パネル９の大きさや形状に合わせて、取り付けが可能な状態となる。図９は、本発明の実施の形態１における支持基体が設置された状態を示す斜視図である。
【０１３１】
次に、作業者は、支持基体３に支持部材５を取り付ける。このとき、支持部材５を、固定部材４を用いて支持基体３に固定しても良いし、異なる固定部材で支持基体３に固定しても良い。また、支持部材５は、支持基体３と予め一体となっており、一体である支持基体３と支持部材５とが一括して取り付けられても良い。また、支持部材５は、支持基体３と別部材として用意されなければならないわけではなく、支持部材５が支持基体３の一部となっている場合でも良い。
【０１３２】
また、太陽光発電パネル９を設置しやすいように、支持部材５は、フレーム部材５２を更に備えていることも好適である。図１０は、本発明の実施の形態１における取り付け装置の斜視図である。図１０に示されるように、支持部材５がフレーム部材５２を更に備えていることも好適である。
【０１３３】
支持部材５がフレーム部材５２を有することで、取り付け装置１が屋根２の上に取り付けられると、太陽光発電パネル９の外形に対応する枠が形成される。この枠に対応するように太陽光発電パネル９が設置される。また、図１０においては、フレーム部材５２は、方形の辺上に対応する枠に加えて、その内部にも延伸している。このように、フレーム部材５２が枠と内部とに設けられることで、太陽光発電パネル９が高い強度および耐久性によって設置されるようになる。
【０１３４】
次に、作業者は、支持部材５（フレーム部材５２）の上に太陽光発電パネル９を設置する。太陽光発電パネル９は、所定の大きさを有するユニットに分割されており、作業者は、このユニット毎に太陽光発電パネル９を設置する。太陽光発電パネル９は、固定部材などによって、支持部材５に固定される。
【０１３５】
ここで、支持基体３や支持部材５は、導水路、通路、表面処理などの導水手段７を備えている。この導水手段７は、支持基体３や支持部材５に予め備わっていても良いし、設置後に形成されても良い。導水手段７が備わっていることにより、太陽光発電パネル９が設置されても、屋根２に流入する雨水は、効率的に排出され、支持基体３をはじめとする取り付け装置１の取り付けによって生じうる浸水が防止できる。
【０１３６】
なお、作業者は、屋根２の上でこれらの作業を行うが、取り付け装置１が予めユニット化されていることで、屋根の上での作業が簡易になり、事故等の問題も未然防止できる。
【０１３７】
以上のように、実施の形態１における取り付け装置１は、強度や耐久性を確保するとともに、流入する雨水の排出をも行うことができ、浸水の問題も防止できる。また、取り付け装置１は、太陽光発電パネル９の取り付け装置１としても太陽光発電パネル９の取り付け方法としても把握できる。
【０１３８】
（実施の形態２）
次に、実施の形態２について説明する。
【０１３９】
実施の形態２では、支持基体３の配置上の工夫について説明する。実施の形態１で説明したように、取り付け装置１は、屋根２に敷設されている複数の屋根瓦２２やスレート部材２１の一部を取り除いた上で、屋根２の上に取り付けられる。このとき、導水手段７を備えることで、屋根２に流入する雨水が、屋根２の基材１０に浸水することが防止される。
【０１４０】
支持基体３は、屋根瓦２２やスレート部材２１に置き換えられる。このとき、隣接する屋根瓦２２が支持基体３に置き換えられると、支持基体３同士が隣接することになってしまう。このように支持基体３が隣接する場合には、支持基体３の設置強度が弱まる（取り付け装置１の設置強度が弱まる）可能性が生じる。
【０１４１】
あるいは、隣接もしくは近接する屋根瓦２２やスレート部材２１が支持基体３に置き換えられると、置き換えられた部分が隣接もしくは近接することになってしまい、浸水の可能性が高まる。このような浸水の可能性が高まることは、防止されることが好ましい。
【０１４２】
以上のように、設置強度の視点および浸水低減の視点を考慮して、発明者の検討によって、屋根２の傾斜方向において、少なくとも２以上の屋根瓦２２もしくはスレート部材２１の間隔をあけて、支持基体３が設置されることが好ましい。
【０１４３】
図１１は、本発明の実施の形態２における太陽光発電パネルが設置された屋根の側面図である。図１１は、屋根２にスレート部材２１が敷設されており、このスレート部材２１の一部が支持基体３に置き換えられている状態を示している。また、図１１は、屋根２を側面から見た状態を示しており、図１１中での屋根２の傾斜は、実際の屋根の傾斜方向を示している。すなわち、右から左にかけて屋根２は傾斜している。屋根２の表面には、複数のスレート部材２１が敷き詰められている。
【０１４４】
支持基体３Ａは、ある位置におけるスレート部材２１の一つに置き換えられて設置されている。また、支持基体３Ａに屋根２の傾斜方向で隣接する支持基体３Ｂは、少なくとも２以上のスレート部材２１分の間隔を空けて設置されている。実際には、スレート部材２１Ａ、２１Ｂ、２１Ｃ、２１Ｄ、２１Ｅの５つのスレート部材２１分の間隔を空けて、隣接する支持基体３Ｂが設置されている。図１１からもわかる通り、この場合には、支持基体３Ａと支持基体３Ｂとが十分な間隔をもって配置されることで、支持基体３の設置強度が高まる。加えて、支持基体３の隣接する領域には、屋根２に最初から敷設されているスレート部材２１が設置されたままであるので、取り付け装置１が備える導水手段７によって排出される雨水は、スレート部材２１を伝ってそのまま排出される。また、支持基体３同士が隣接しないことで、支持基体３同士の境界から浸水する可能性も低減する。
【０１４５】
図１１では、５つのスレート部材２１を間隔として空けているが、２以上のスレート部材２１（もしくは屋根瓦２２）を間隔としてあければ十分である。隣接する支持基体３のいずれもがスレート部材２１と隣接できるようになる。また、隣接する支持基体３同士に挟まれるスレート部材２１は、スレート部材２１同士で接触した状態を維持できるので、スレート部材２１そのものの固定強度も維持される。これらの結果が相まって、支持基体３の取り付け強度が高まり浸水も防止される。
【０１４６】
もちろん、２以上のスレート部材２１や屋根瓦２２を間隔としてあけることで、作業者の作業が容易かつ安全になる。
【０１４７】
以上のように、実施の形態２における取り付け装置１は、屋根の傾斜方向において、２以上のスレート部材２１もしくは２以上の屋根瓦２２を間隔として空けておくことで、強度、耐久性、浸水防止、安全性などを同時実現できるようになる。
【０１４８】
なお、実施の形態１〜２で説明された取り付け装置は、本発明の趣旨を説明する一例であり、本発明の趣旨を逸脱しない範囲での変形や改造を含む。
【符号の説明】
【０１４９】
１    取り付け装置
２    屋根
２１    スレート部材
２２    屋根瓦
３    支持基体
４    固定部材
５    支持部材
５２    フレーム材
６    固定具
７    導水手段
７１    陥没領域
７２    通路
９    太陽光発電パネル
１０    基材
８００    太陽光発電パネル
８０１    アレイ
８０２    モジュール
８０３    セル
８０４    パワーコンディショナ
８０５    負荷
【図１】
2012057297.tif 000003
【図２】
2012057297.tif 000004
【図３】
2012057297.tif 000005
【図４】
2012057297.tif 000006
【図５】
2012057297.tif 000007
【図６】
2012057297.tif 000008
【図７】
2012057297.tif 000009
【図８】
2012057297.tif 000010
【図９】
2012057297.tif 000011
【図１０】
2012057297.tif 000012
【図１１】
2012057297.tif 000013
【図１２】
2012057297.tif 000014